(57)【特許請求の範囲】
【請求項１】
ウェブを噛込み部（７）で圧力処理するためのロール（１００）であって、作動するロール周面（４）を支持する、軸線Ａを中心に回転可能な中空ロール（１）と、この中空ロール（１）を長手方向に貫通し、前記中空ロール（１）の内周面（２）から周囲に間隔をあけており、両端で複数の外側の支持装置に支持された回転不能なクロスヘッド（５）と、このクロスヘッド（５）に設けられ、前記ロール（１００）の作用面（Ｗ）に沿って半径方向に前記中空ロール（１）の前記内周面（２）へ作用し、前記ロール（１００）の噛込み部（７）によってウェブに加えられる線圧の形成に必要な力を前記クロスヘッド（５）から前記ロール（１）へ伝達する支持手段（１０）と、前記クロスヘッド（５）に横方向に設けられ、前記ロール（１００）の前記作用面（Ｗ）に対し半径方向垂直に作用する少なくとも１つの静圧式の支持エレメント（３０）であって、側方の繰り出し運動を制限する機械式の停止手段（５５，４２）に接触するまで、前記中空ロール（１）の前記内周面（２）へ液圧で繰り出し可能であり、外側に、前記中空ロール（１）の前記内周面（２）に向かって開いている静圧式の複数の支持凹部（６０）の配列を有する支持エレメント（６０）と、を具備するロールにおいて、
前記側方の前記支持エレメント（３０）の前記支持凹部（６０）の配列には、絞りなしに、時間的に一定の圧液量が加えられることができ、前記側方の前記支持エレメント（３０）用の前記停止手段（５５，４２）は、中空ロールが回転しているときに、前記支持凹部（６０）の縁部（５７）のうちの、前記中空ロール（１）の前記内周面（２）に向いた端面と、前記内周面（２）との間には、ギャップ（Ｓｐ）が生じ、このギャップを通って、圧液が、前記クロスヘッド（５）と前記中空ロール（１）の前記内周面（２）との中間空間に流れ出ることができることを特徴とするロール。
【請求項２】
前記ギャップ（Ｓｐ）は約０，５ｍｍであることを特徴とする請求項１に記載のロール。
【請求項３】
前記機械式の停止手段（５５，４２）は、前記クロスヘッド（５）に固着された少なくとも１本のねじ（４０）の頭部（４３）によって，形成されており、この頭部は前記支持エレメント（３０）の半径方向の突出部（５５）によって下方で宛がわれていることを特徴とする請求項１又は２に記載のロール。
【請求項４】
前記支持凹部（６０）の配列の底部から、複数のねじ（４０）の頭部（４３）を収容するための盲穴が延びており、前記ねじ（４０）は、時間的に一定の圧液量の供給管（４４）に接続されている実質的に絞りのない縦穴(３９)を有することを特徴とする請求項３に記載のロール。
【請求項５】
前記側方の支持エレメント（３０）は、前記支持手段の、前記中空ロール（１）の前記内周面（２）に接触している部分（１１）に機械式に接続されており、前記支持エレメント（３０）は、前記クロスヘッド（５）に対して、前記作用面（Ｗ）において、前記噛込み部（７）に対し垂直に移動可能であることを特徴とする請求項１乃至４のいずれか１に記載のロール。
【請求項６】
前記支持手段の、前記中空ロール（１）の前記内周面（２）に接触している部分（１１）に、保持クランプ（２７）が取着されており、この保持クランプは前記支持エレメント（３０）のベースプレート（３２）に係合し、このベースプレートは、前記クロスヘッド（５）の平坦な摺動面（３２′）かつ対応の摺動面（３１′）に沿って、前記作用面（Ｗ）に対し平行に、前記噛込み部（７）に対し垂直に移動可能であることを特徴とする請求項４に記載のロール。
【請求項７】
前記作用面（Ｗ）に対し垂直方向の、前記中空ロール（１）の前記内周面（２）と前記作用面（Ｗ）との半径方向の間隔のための、間隔信号を発信する検出手段と、中空ロール（１）の回転駆動装置のための、前記間隔信号を処理する制御手段とが設けられており、この制御手段は、前記中空ロール（１）が、実質的に、正しい位置及び整列を保つように、駆動力に影響を及ぼすことを特徴とする請求項１乃至６のいずれか１に記載のロール。
【請求項８】
前記検出手段は、前記クロスヘッド（５）の側方に設けられ、前記ロール（１００）の前記作用面（Ｗ）に対し半径方向垂直に作用する少なくとも１つの測定素子（６３，６４）を含み、前記測定素子は、この測定素子（６３，６４）の移動を再生する信号を発生する計器用変成器（６１，６２）を有することを特徴とする請求項７に記載のロール。
【請求項９】
前記計測用変成器（６３，６４）は誘導性の測長用変成器であることを特徴とする請求項８に記載のロール。
【請求項１０】
前記クロスヘッド（５）の側方に設けられ、前ロール（１００）の前記作用面（Ｗ）に対し半径方向垂直に前記中空ロール（１）の前記内周面（２）に作用する少なくとも１つの静圧式の支持エレメント（３０）と、前記検出手段とが、同時に存することを特徴とする請求項７乃至９のいずれか１に記載のロール。
【請求項１１】
ウェブを噛込み部（７）で圧力処理するためのロール（１００）であって、作動するロール周面（４）を支持する、軸線Ａを中心に回転可能な中空ロール（１）と、この中空ロール（１）を長手方向に貫通し、前記中空ロール（１）の内周面（２）から周囲に間隔をあけており、両端で複数の外側の支持装置に支持された回転不能なクロスヘッド（５）と、このクロスヘッド（５）に設けられ、前記ロール（１００）の作用面（Ｗ）に沿って半径方向に前記中空ロール（１）の前記内周面（２）へ作用し、前記ロール（１００）の噛込み部（７）によってウェブに加えられる線圧の形成に必要な力を前記クロスヘッド（５）から前記ロール（１）へ伝達する支持手段（１０）と、前記クロスヘッド（５）に横方向に設けられ、前記ロール（１００）の前記作用面（Ｗ）に対し半径方向垂直に作用する少なくとも１つの静圧式の支持エレメント（３０）であって、側方の繰り出し運動を制限する機械式の停止手段（５５，４２）に接触するまで、前記中空ロール（１）の前記内周面（２）へ液圧で繰り出し可能であり、外側に、前記中空ロール（１）の前記内周面（２）に向かって開いている静圧式の複数の支持凹部（６０）の配列を有する支持エレメントと、を具備するロールの、その回転駆動装置の駆動力を制御する方法において、
側方の前記支持エレメント（３０）の前記支持凹部（６０）には、絞りなしに、時間的に一定の圧液量が加えられることができ、前記側方の支持エレメント（３０）のためには、側方の繰り出し運動を制限する機械式の停止手段（５５，４２）が設けられており、前記側方の前記支持エレメント（３０）用の前記停止手段（５５，４２）は、中空ロール回転しているときに、前記支持凹部（６０）の縁部（５７）のうちの、前記中空ロール（１）の前記内周面（２）に向いた端面と、前記内周面（２）との間には、ギャップ（Ｓｐ）が生じ、このギャップを通って、圧液が、前記クロスヘッド（５）と前記中空ロール（１）の前記内周面（２）との中間空間に流れ出ることができること、及び、時間的に一定の圧液量の、前記支持エレメント（３０）の前記支持凹部（６０）の配列中で生起する圧力を、前記中空ロール（１）の駆動力の調整のために用いることを特徴とする方法。
【請求項１２】
前記クロスヘッド（５）の側方に設けられ、前記ロール（１００）の前記作用面（Ｗ）に対し半径方向垂直に作用する少なくとも１つの測定素子（６３，６４）の信号を中空ロール（１）の駆動力の調整のために用いることを特徴とする、請求項１１に記載のロール（１００）の回転駆動装置の駆動力を制御する方法。
【請求項１３】
時間的に一定の圧液量の、前記支持エレメント（３０）の前記支持凹部（６０）の配列の中で生起する圧力のみならず、前記測定素子（６３，６４）の信号も、中空ロール（１）の駆動力の調整のために用いることを特徴とする、請求項１１６に記載のロール（１００）の回転駆動装置の駆動力を制御する方法。
【発明の詳細な説明】
【０００１】
【発明の属する技術分野】
本発明は、第１の観点では、請求項７の前提部分に対応するタイプのロールに関する。
【０００２】
【従来の技術】
このタイプのロールはＤＥ ３９ ２８ ４３９ Ｃ２から公知である。複数の側方の支持エレメントによって、追加の力を、中空ロールの作用面に対し垂直に、すなわち、一般的には、ウェブに対し水平に、中空ロールに加えることができる。これらの力は線圧の分布に影響を及ぼす。
【０００３】
前記タイプのロールは、作動中に、正確に作用面に位置している力を受けるだけではない。ロールが駆動されているときは、ウェブの連行力によってであれ、又はウェブの耐変形性によってであれ、又は誤って調整された駆動力によってであれ、むしろ、作用面に垂直の力も発生する。余りにも高く調整された駆動力は、例えば、ロールが、ウェブの走行方向と反対方向に、ウェブに沿って前方へ作動しようとすることをもたらす。このことは、ロールが両端で一般的にしっかりと支持されているので、ウェブに対し平行な面に沿ってロールが撓むことになる。同様のことは、駆動力が余りに小さい場合に、ウェブがロールを連行して走行方向に撓ませる場合に当て嵌まる。
【０００４】
作用面に対し垂直のすべての応力が、特に、作用面に対し垂直の面に沿ってロールが顕著に撓むことをもたらすのは、このロールが、鋼製又は特にプラスチック製の比較的肉薄のロール管である場合である。このロール管の曲げ抵抗性は鋼製の公知の肉厚のロールと比較して余りに高い訳ではない。
【０００５】
複数の側方の支持エレメントを有する撓み制御可能なロールはＤＥ−ＡＳ ２２ ３０ １３９の図９から明らかになる。しかし、この場合、ロールの回りには、４つの、９０°で互いにずれたカウンターロールが設けられており、これらのカウンターロールはロールと共に４つの噛込み部を形成する。この場合、カウンターロールと接触していないロールが実質的に平坦に延びているウェブに対し平行に撓むことは前面に出ていない。類似の装置はＤＥ ２９ ４２ ００２ Ａ１から読み取れる。
【０００６】
複数の側方の支持エレメントを有する複数のロールの公知の実施の形態では、一定の圧力が支持エレメントで調整されることによって、側方の力が中空ロールへ加えられる。しかし、この場合、中空ロールの支持エレメントの位置は力の均衡によって生じ、幾何学的形状で定められていない。公知の複数の実施の形態の場合に中空ロールを作用面に対し垂直な面で位置決めすること、すなわち、中空ロールをクロスヘッドに対し片寄らない（ｍｉｔｔｌｅｒｅ）連続した標準位置に保つことは不可能である。
【０００７】
【発明が解決しようとする課題】
前提部分に記載のロールを、作用面に対して垂直おける中空ロールの位置決めを達成するように、構成するという課題が、本発明の基礎になっている。
【０００８】
【課題を解決するための手段】
この課題は請求項１に示された本発明によって解決される。
【０００９】
側方の支持エレメントは液圧で繰り出し可能である。しかし、繰り出しは停止手段へ到達までしか可能でない。この位置で、支持エレメントは停止する。複数の支持凹部には、常に、側方で一定の圧液量が運ばれ、複数の支持凹部を越えて流れ出る。この閉じられた、巡っている縁部と、中空ロールの内周面との間には、圧力及び運ばれた圧液量に独立して、停止手段によって一定のギャップが維持される。作用面に対し垂直の撓みによって、中空ロールの内周面が、クロスヘッドに対し据え付けたままの支持凹部配列の縁部に接近するとき、ギャップと、このギャップによって与えられる流出横断面とが縮小され、支持凹部配列内で圧力が増大する。従って、支持エレメントによって中空ロールの内周面へ加えられかつ中空ロールの生じた撓みを防止する力も、増大する。かくて、均衡が調整される。かくて、中空ロールが、常に、（作用面に対し垂直に見て）一定の位置にあることが、配慮される。
【００１０】
この位置は１つの又は複数の停止手段の位置によって定められている。後者の位置が、標準の場合には、すなわち、作用面に対し垂直に撓まない中空ロールの場合には、中空ロールを変形する力が中空ロールに加えられないように選択される。標準の場合には、側方の支持エレメントにおけるギャップが約０，５ｍｍであること（請求項２）が、配慮される複数の支持エレメントが作用面に対し垂直に互いに反対側にある場合に、２つの支持エレメントではこのギャップが設けられている。
【００１１】
このことは、支持凹部配列に供給される時間的に一定の圧液量が通常の作動では実際に無圧でクロスヘッドと中空ロールの内周面との間の中間空間に流出することができ、そこから圧液量が常に排出されることを意味する。通常の作動では、複数の側方の支持エレメントは実際には作動しない。これらの支持エレメントは、一側又は他側でのギャップが、中空ロールの作用面に対し垂直における中空ロールの望ましくない撓みによって変化し始めるときはじめて、自らの働きを実行することを始める。次に、狭まったギャップを有する側での圧力が増大して、中空ロールへの、撓みに対抗する力が発生する。
【００１２】
ロールの長手方向における複数の側方の支持エレメントの各長さは、ロール長さの約１／１００乃至１／２０である。一般的には、ロールの長さに亘って、数個の、例えば、３乃至８ｍｍのロールの、標準の長さでは３又は４個のこうした側方の支持エレメントあるだろう。２つの方向での中空ロールの撓みが考えられるときは、クロスヘッドの両側で、このような支持エレメントが互いに反対側にある。
【００１３】
「支持凹部の配列」とは、個々の支持凹部を意味することができるだけでなく、支持エレメントの接触面に形成され、かつ、支持エレメントの力の均衡のために設けられていることができる２，３又は４個の支持凹部の一群を意味することもできる。
【００１４】
機械式の停止手段によって静圧式の支持エレメントを一定の最大位置に「制限する方法」はＤＥ ３９ １８ ９８９ Ｃ１から公知である。しかし、この方法は、ロールの作用面に設けられており、かつ、線圧を発生させる複数の支持エレメントとの協働による作用方向での中空ロールの位置決めのために、用いられる、他のタイプの支持エレメントである。
【００１５】
請求項３に記載のように、機械式の停止手段は、クロスヘッドに固着されたねじの頭部によって、形成されていることができると共に、請求項４に記載のように、支持凹部の配列に一定の圧液量を供給するために用いられることができる。
【００１６】
本発明の重要な構成は請求項５の内容であり、請求項６に記載のように、具体的に実現されることができる。
【００１７】
支持手段の、中空ロールの内周面に接触している部分との、すなわち、対応の静圧式の又は流体力学的な支持シュー（Ｓｔｕｅｔｚｓｃｈｕｈ）との結合によって、各々の側方の支持エレメントは、以下のように、すなわち、支持エレメントが常に中空ロールの中央に位置決めされており、クロスヘッドの撓みに無関係に常に支持エレメントの力を中空ロールの最も幅の広い箇所に加えるので、力の、望ましくない二次成分（Ｎｅｂｅｎｋｏｍｐｏｎｅｎｔｅ）が全然生じないように、追従されることができる。
【００１８】
本発明は本発明に係わる被駆動のロールの駆動力を制御するための可能性を提供する。つまり、駆動力が極めて正確でないときは、ロールは、ロールに接触している走行するウェブに先行しようとするか、駆動力が余りに少なく調整されているときは、ウェブによって連行される。両者の場合には、ロールへの力はウェブに対し平行にすなわち作用面に対し垂直方向に発生し、中空ロールの撓みをもたらす。この撓みは、同様に、結果として、複数の支持凹部における既述のギャップ変化及び圧力変化を伴う。複数の支持凹部におけるこの圧力変化は、力が作用面に対し垂直方向に全然生じないように、駆動力を制御するために用いられることができる。しかし、駆動力の制御は、クロスヘッドに対する中空ロールの測定された移動に基づいてのみ、なされることができる。
【００１９】
本発明は、第２の観点では、請求項７の前提部分に対応するタイプのロールと、このような及び類似のロールの駆動力を制御する方法に関する。
【００２０】
このタイプのロールはＤＥ ２９ ４２ ００２ Ａ１の図９乃至１２から公知である。複数の側方の支持エレメントによって、追加の力を、中空ロールの作用面に対し垂直に、すなわち、一般的には、ウェブに対し水平に、中空ロールに加えることができる。これらの力は線圧の分布に影響を及ぼす。
【００２１】
前記タイプのロールは、作動中に、正確に作用面に位置している力を受けるだけではない。ロールが駆動されているときは、ウェブの連行力によってであれ、又はウェブの耐変形性によってであれ、又は誤って調整された駆動力によってであれ、むしろ、作用面に垂直の力も発生する。余りにも高く調整された駆動力は、例えば、ロールが、ウェブの走行方向と反対方向に、ウェブに沿って前方へ作動しようとすることをもたらす。このことは、ロールが両端で一般的にしっかりと支持されているので、ウェブに対し平行な面に沿ってロールが撓むことになる。同様のことは、駆動力が余りに小さい場合に、ウェブがロールを連行して走行方向に撓ませる場合に当て嵌まる。
【００２２】
作用面に対し垂直のすべての応力が、特に、作用面に対し垂直の面に沿ってロールが顕著に撓むことをもたらすのは、このロールが、鋼製又は特にプラスチック製の比較的肉薄のロール管である場合である。このロール管の曲げ抵抗性は鋼製の公知の肉厚のロールと比較して余りに高い訳ではない。
【００２３】
複数の側方の支持エレメントを有する撓み制御可能なロールはＤＥ−ＡＳ ２２ ３０ １３９の図９から明らかになる。しかし、この場合、ロールの回りには、４つの、９０°で互いにずれたカウンターロールが設けられており、これらのカウンターロールはロールと共に４つの噛込み部を形成する。この場合、カウンターロールと接触していないロールが実質的に平坦に延びているウェブに対し平行に撓むことは前面に出ていない。類似の装置はＤＥ ２９ ４２ ００２ Ａ１から読み取れる。
【００２４】
複数の側方の支持エレメントを有する複数のロールの公知の実施の形態では、一定の圧力が支持エレメントで調整されることによって、側方の力が中空ロールへ加えられる。しかし、この場合、中空ロールの支持エレメントの位置は力の均衡によって生じ、幾何学的形状で定められていない。公知の複数の実施の形態の場合に中空ロールを作用面に対し垂直な面で位置決めすることは不可能である。
【００２５】
【発明が解決しようとする課題】
作用面に対して垂直における中空ロールの位置決めを達成するという課題が本発明の基礎になっている。
【００２６】
【課題を解決するための手段】
この課題は、機械的な観点では、請求項７に示された本発明によって解決される。
【００２７】
この場合、作用面に対し垂直方向での中空ロールの撓み又は移動を防止し、中空ロールをほぼ正しい位置に移動させるために、少なくとも１つの側方の支持エレメントによって力を加えることに、重きがおかれているのではない。そうでなくて、この撓み又は移動は、駆動装置の相応の制御によって、中空ロールが常に正しい位置すなわち整列に留まっているように、影響を受けるのである。原理的には、このためには、作用面に対して垂直方向に、中空ロールの内周面に力を加えることは必ずしも必要ではない。中空ロールの位置のずれを検出手段によって検出し、中空ロールを相応に移動することができる。
【００２８】
請求項８に記載のように、検出手段は、クロスヘッドの側方に設けられ、ロールの作用面に対し半径方向垂直に作用する少なくとも１つの測定素子を含み、測定素子は、この測定素子の移動を再生する信号を発生する計器用変成器を有する。
【００２９】
特に、請求項９に記載の計器用変成器は誘導性の測長用変成器であることができる。何故ならば、このタイプの複数の計器用変成器は比較的小型でありかつ頑丈であるので、中空ロールの内周面とクロスヘッドの側面との間の空間に設けられることができるからである。この装置の構造的な設計のためには、当業者が近付き得る多くの可能性がある。
【００３０】
請求項１０に記載の好ましい実施の形態の場合に、ロールでは、少なくとも１つの静圧式の支持エレメント、及び中空ロールの内周面と中空ロールの作用面との間隔のための検出手段が、同時に存する。それ故に、制御手段は検出手段の信号のみならず支持エレメントの圧力信号に拠ることができる。例えば、中空ロールの移動が余りに大きくない場合には、検出手段の信号によって、既に駆動装置が作用を受けるのであり、移動力が激しくて、圧力を非常に増大させる場合にはじめて、駆動力への甚大な影響がなされるようにして。
【００３１】
本発明は、方法に関する観点では、請求項１１の前提部分に記載された被駆動のロールの駆動力を制御するための可能性を提供する。
【００３２】
この場合、側方の支持エレメントは液圧で繰り出し可能である。しかし、繰り出しは停止手段へ到達までしか可能でない。この位置で、支持エレメントは停止する。複数の支持凹部には、常に、側方で一定の圧液量が運ばれ、複数の支持凹部を越えて流れ出る。この閉じられた、巡っている縁部と、中空ロールの内周面との間には、一定のギャップが存する。作用面に対し垂直の撓みによって、中空ロールの内周面が、クロスヘッドに対し据え付けたままの支持凹部配列の縁部に接近するとき、ギャップと、このギャップによって与えられる流出横断面とが縮小され、支持凹部配列内で圧力が増大する。従って、支持エレメントによって中空ロールの内周面へ加えられかつ中空ロールの生じた撓みを防止する力も、増大する。かくて、均衡が調整される。かくて、中空ロールが、常に、（作用面に対し垂直に見て）一定の位置にあることが、配慮される。
【００３３】
この位置は１つの又は複数の停止手段の位置によって定められている。後者の位置が、標準の場合には、すなわち、作用面に対し垂直に撓まない中空ロールの場合には、中空ロールを変形する力が中空ロールに加えられないように選択されることは自明である。標準の場合には、側方の支持エレメントにおけるギャップが約０，５ｍｍであることが、配慮される。複数の支持エレメントが作用面に対し垂直に互いに反対側にある場合に、２つの支持エレメントではこのギャップが設けられている。
【００３４】
このことは、支持凹部配列に供給される時間的に一定の圧液量が通常の作動では実際に無圧でクロスヘッドと中空ロールの内周面との間の中間空間に流出することができ、そこから圧液量が常に排出されることを意味する。通常の作動では、複数の側方の支持エレメントは実際には作動しない。これらの支持エレメントは、一側又は他側でのギャップが、中空ロールの作用面に対し垂直における中空ロールの望ましくない撓みによって変化し始めるときはじめて、自らの働きを実行することを始める。次に、狭まったギャップを有する側での圧力が増大して、中空ロールへの、撓みに対抗する力が発生する。
【００３５】
ロールの長手方向における複数の側方の支持エレメントの各長さは、ロール長さの約１／１００乃至１／２０である。一般的には、ロールの長さに亘って、数個の、例えば、３乃至８ｍｍのロールの、標準の長さでは３又は４個のこうした側方の支持エレメントあるだろう。２つの方向での中空ロールの撓みが考えられるときは、クロスヘッドの両側で、このような支持エレメントが互いに反対側にある。
【００３６】
「支持凹部の配列」とは、個々の支持凹部を意味することができるだけでなく、支持エレメントの接触面に形成され、かつ、支持エレメントの力の均衡のために設けられていることができる２，３又は４個の支持凹部の一群を意味することもできる。
【００３７】
機械式の停止手段によって静圧式の支持エレメントを一定の最大位置に「制限する方法」はＤＥ ３９ １８ ９８９ Ｃ１から公知である。しかし、この方法は、ロールの作用面に設けられており、かつ、線圧を発生させる複数の支持エレメントとの協働による作用方向での中空ロールの位置決めのために、用いられる、他のタイプの支持エレメントである。
【００３８】
このようなロールの場合に駆動力が極めて正確でないときは、ロールは、ロールに接触している走行するウェブに先行しようとするか、駆動力が余りに少なく調整されているときは、ウェブによって連行される。両者の場合には、ロールへの力はウェブに対し平行にすなわち作用面に対し垂直方向に発生し、中空ロールの撓みをもたらす。この撓みは、同様に、結果として、複数の支持凹部における既述のギャップ変化及び圧力変化を伴う。
【００３９】
複数の支持凹部におけるこの圧力変化は、請求項１１に記載の本発明の構成では、力が作用面に対し垂直方向に全然生じないように、駆動力を制御するために用いられることができる。
【００４０】
しかし、駆動力の制御は、クロスヘッドに対する中空ロールの測定された移動に基づいてのみ、なされることができる（請求項１２）。
【００４１】
請求項１３に記載の組み合わされた方法は考慮される。
【００４２】
【発明の実施の形態】
本発明の実施の形態が図面に示されている。図１で全体として参照符号１００が付されたロールは軸線Ａを中心に回転する中空ロール１を有する。この中空ロールは、この実施の形態では、繊維強化プラスチックからなり、外側では、作動するロール周面４を形成する、他の適切なプラスチック製の被覆面３を有する。
【００４３】
中空ロール１の中に、長手方向に、クロスヘッド５が貫通されている。クロスヘッドの両端は、外部支持装置、例えばロールスタンド又はカレンダーの揺り腕で支持されている。クロスヘッド５は中実の鋼支持装置として形成されている。鋼支持装置は、出来る限り高い曲げ剛性を達成すべく、中空ロール１の内部横断面を実質的に満たしているが、中空ロール１の内周面２からぐるりと間隔をあけている。
【００４４】
クロスヘッド５は、（図１に示した）上側に、平坦部６を有する。平坦部の領域では、この実施の形態で上に位置している噛込み部７への方向に内から中空ロール１に作用する、全体として参照符号１０が付された静圧式の支持手段が、クロスヘッド５に設けられており、このクロスヘッドは噛込み部７における線圧にとって重要な力を加える。同じ大きさの力が、反力として、上からクロスヘッド５へ作用する。このことによって、クロスヘッドは下方へ撓む。このことが周囲の間隔があいている理由である。更に、クロスヘッド５は、下側に、図１には認められないかつ平坦部６に類似の平坦部を有することもできる。それ故に、撓みがより激しい場合でも、クロスヘッドは中空ロール１の内周面２に接触しない。
【００４５】
支持手段１０によって加えられた力の方向は作用面Ｗを規定する。この作用面は、通常、ロール１００の軸線と、噛込み部７の上方に設けられておりロールと協働するカウンターロールとを結ぶ面によって与えられている。
【００４６】
示された構造によって、中空ロール１は、噛込み部１に作用する複数の線圧の下で、真っ直ぐのままである。これらの線圧に対する複数の反力はクロスヘッド５によって吸収される。このクロスヘッドは中空ロールに関係なしに撓むことができ、かくて、中空ロール１を撓みから免れさせておく。
【００４７】
支持手段１０は中空ロール１に沿って延びている支持ストリップ１１を有する。支持ストリップの上面は中空ロール１の内周面２に対応して形成されており、上面に、支持ストリップは複数の静圧式の支持凹部２０を有する。これらの支持凹部には圧液を満たすことができ、圧液は複数の支持凹部２０の縁部を越えて流出する。かくて、支持ストリップ１１は液体クッション又は液膜によって中空ロール１の内周面２に支持されており、内周面に対し中空ロール１の回転中に矢印方向に乾燥摩擦を全然被らない。
【００４８】
支持ストリップ１１の下面には、支持ストリップの長さに亘って、複数のガイドブシュ１３が配設されている。これらのガイドブシュはほぼ半径方向の軸線を有し、ガイドブシュの外側は、この外側に対応する部分的にシリンダ状のリセス１４を有する両側のガイド部１５に、軸方向に摺動可能に接触している。これらのガイド部は、クロスヘッド５の、平坦にされた上面６に嵌め込まれている。
【００４９】
複数のガイド部１５は、（ロールの長手方向に見て）ロール１００の中央領域で、２つのガイドブシュ１３に作用しさえすればよく、支持ストリップ１１を、作用面Ｗに対し垂直の、軸線Ａに対し平行な面で、位置決めする。すなわち、支持ストリップ１１は、軸方向に、かつ前記面での回動に抗するように取り付けられている。しかし、支持ストリップ１１は、平行な面に対し垂直に、複数のガイド部１５従ってまたクロスヘッド５の方に自由に移動することができる。
【００５０】
圧液はクロスヘッド５の内部から流路１６を通って接続ブシュ（Ｖｅｒｂｉｎｄｕｎｇｓｂｕｅｃｈｓｅ）１２に供給される。接続ブシュの一端は揺動可能にかつ密封状態でクロスヘッド５の平坦な盲穴１７に案内されており、他端はガイドブシュ１３の内周面に沿って揺動可能にかつ密封状態で案内されている。
【００５１】
供給管１６を通って案内される圧液は接続ブシュ１２の内部１８に入り、そこから、短管２１の、すなわち、接続ブシュ１２に密封状態で嵌り込んでおりかつ支持ストリップ１１と結合された短管の、流路１９を通って、支持ストリップ１１に、支持ストリップの複数の絞り流路２２を通って、複数の支持凹部２０に達する。第２の圧液量はクロスヘッド５の内部の供給管２３を通って供給され、まず、接続ブシュ１２の下方にある盲穴１７に位置する平坦なシリンダーチャンバー２４に達する。接続ブシュ１２の壁部は軸に平行な複数の孔２５を有し、この圧液は、これらの孔を通って、接続ブシュ１２の上方のガイドブシュ１３に形成されたチャンバー２６に侵入する。このチャンバーに支配的である圧力は、支持ストリップ１１を中空ロール１の内周面２へ押圧するために用いる押圧力を発生する。
【００５２】
図示された静圧式の支持手段１０は、本発明にとって重要でない。例えばＤＥ−ＡＳ ２２ ３０ １３９又はＤＥ ３８ ２０ ９７４ Ｃ３に記載の個々の支持エレメントを有する複数の支持手段も、例えばＤＥ−ＰＳ １５ ６１ ７０６に記載の、長手方向に亘って連続しており中空ロール１の内周面２に流体で支持された複数の圧力ストリップを有する複数の支持手段、あるいは、例えばＵＳ−ＰＳ ２ ３９５ ９１５に記載の複数の機械式の支持手段さえも存在するだろう。
【００５３】
複数の線圧を発生させるための力を噛込み部７で加え、作動面Ｗに沿って作用する支持手段１０に追加して、ロール１００では、ロール１００の長さに亘って配設された個々の側方の支持エレメント３０が設けられている。これらの支持エレメントは、中空ロール１を、作動面Ｗに対し垂直に向いた横方向面（Ｑｕｅｒｅｂｅｎｅ）Ｑで、移動しないように、支持しかつ位置決めする。複数の支持エレメント３０を取り付けるために、クロスヘッドは、少なくとも１つの側で、しかし実際には、互いに反対側にある両側で、作用面Ｗに対し平行な（及び平坦面６に対し垂直な）複数の平坦面８を有する。これらの平坦面には、各支持エレメント３０のために、半径方向に重なり合っているベースプレート３１，３２が取り付けられている。３乃至８ｍの範囲にある標準のロール長さの場合には、例えば、長さに亘って３乃至４個の側方の支持エレメント３０が設けられている。各々の内側のベースプレート３１は平坦部８に螺着されており、外側に、平坦な摺動面３１′を有する。これに対し、関連の外側のベースプレート３２の、内側の平坦な摺動面３２′は、ロールの作用方向に、矢印４６の方向に移動することができ、その際、外側のベースプレートは支持エレメント３０を連行する。保持クランプ２７は外側のベースプレート３２を支持ストリップ１１と結合する。このことによって、支持エレメント３０は、クロスヘッド５が力の作用下で如何に撓もうとも、すなわち、図１に示すように或る交差点で如何に上下に移動しようとも、これに関係なく、常に、中空ロール１の中央の高さに、すなわち、中空ロール１の「子午線」に留まっている。
【００５４】
可動の外側のベースプレート３２の、その外面は、作用面Ｗに対し垂直な軸線を有する環状ピストン３３を支持している。この環状ピストンは複数のねじ３４によってベースプレート３２に取着されている。環状ピストン３３は、シリンダ状の内周面３５と、この内周面に同軸のシリンダ状の外周面３６とを有する。環状ピストン３３の、ベースプレート３２の外面に向いた足部には、外側に対しシールされた環状チャンバー３７が形成されている。周囲に亘って分布された複数の箇所に、環状ピストン３３は、軸に平行な複数のねじ穴３８を有する。これらのねじ穴には複数のねじ４０が螺入されており、これらのねじは、実際に絞りのない横断面を有する中心の貫通孔３９と、外面に、段部４１とを有する。この段部によって、複数のねじ４０は、複数のねじ穴３８に全部螺入されているとき、環状ピストン３３の、外側の端面に接触している。複数のねじ４０の半径方向に突出する頭部の、その下側４２は、環状ピストン３３の端面から間隔を保っている。
【００５５】
環状ピストン３３は支持本体５０と協働する。支持本体の、クロスヘッド５に向いた端部は、環状ピストン３３のシリンダ状の外周面３６を包摂し、そこで、パッキン５１によってシールされている。それ故に、支持本体５０は、環状ピストン３３に対して、環状ピストンの軸方向にシール状態で移動することができる。
【００５６】
支持本体５０は、シリンダ状のシールされた部分５９と同軸に、中央の突出部５２を有する。この突出部は、環状ピストン３３の、シリンダ状の内周面３５によって限定された内側開口部に係合し、そこで、パッキン５３によってシールされている。
【００５７】
支持本体５０は、外側に、一種の閉式のシリンダ状のプレート５６を形成する。このプレートには、複数のねじ４０の頭部４３を収容する複数の盲穴５４が形成されている。各盲穴５４の底部には、複数のねじ４０の軸を通すための穴４９が設けられている。底部の、穴の縁部は、半径方向内側に突出している突出部５５を形成している。この突出部は各ねじ４０の頭部４３の下側４２を下方で宛がっている。
【００５８】
支持本体５０は、図２から容易に見て取れるように、突出部５５が複数のねじ４０の下側４２に接触するまでしか、半径方向外側に移動することができない。従って、支持本体は、自らの位置に関して、この半径方向で最も外側の位置に「制限」されている。
【００５９】
支持本体５０の、プレート状の外側の部分５６の、その外側に、支持凹部２０が設けられている。この支持凹部は、僅か数ミリの深さがあり、支持本体５０の横断面の主要な部分に亘って延びている平坦なリセスの形を取り、閉じられており巡っている縁部５７によって、外側に対し区画されている。縁部５７の、中空ロール１の内周面２に向いた端面と、この内周面２との間には、ギャップＳｐがある。このギャップは、通常の作動では、従って、中空ロール１が中心に延びており、変形されていないとき、約０，５ｍｍである。
【００６０】
このことは、供給管４４を通って供給され、かつ複数のねじ４０の縦孔３９を通って支持凹部６０に溢れ出る、時間的に一定の量で運ばれる圧液が、実際に、圧力の実質的な生起なしに、クロスヘッド５と中空ロール１の内周面３との間の中間空間へと流出すること、を意味する。支持凹部６０には実際に圧力は全然存在しないので、力は、図１及び２で右に、中空ロール１の内周面２へ加えられない。
【００６１】
しかし、何かの事情によって、中空ロール１が整然とした位置から移動して、支持エレメント３０に接近するとき、ギャップＳｐは狭められ、これに応じて、巡っている縁部５７における流出横断面が小さくされる。このことによって、支持凹部６０内の圧力が増大して、中空ロール１の内周面２には、生じた移動を戻そうとする力が加えられる。かくて、中空ロール１はクロスヘッド５に対し前の位置に押し戻され、いずれにせよ、中空ロール１のより強い撓みは起こないようにされ、中空ロール１の内周面２に破壊的な乾燥摩擦が生じない。
【００６２】
側方に維持された位置は縁部５７の位置によって規定される。後者の位置自体は、突出部５５が複数のねじ４０の下側４２に接触することによって、定められている。第２の圧液は第２の供給管４５を通って支持エレメント３０に供給され、支持本体５０の突出部５２の下方にあるチャンバー５８に入って、そこで、支持本体を複数のねじ頭部４３の下側４２に接触しておく力を加える。
【００６２】
供給管４５の圧力ＰＳｔｋは接続ブシュ１２の上方にあるチャンバー２６の押圧力と同一であることができる。このことは圧液の供給を容易化するのみならず、支持本体５０を複数のねじ頭部４３の下側４２へ押圧するために用いる接触圧力を、支持ストリップ１１の押圧力に比例させもする。
【００６４】
支持凹部６０内に発生される圧力は、ギャップＳｐの大きさの、従ってまた作用面Ｗに対し垂直における中空ロール１の撓みの大きさの、尺度である。この撓みは、ロール１００が駆動されているとき、駆動力によって影響を受ける。駆動力は余りに大きいことがある。このことの結果として、ロール１００がウェブの走行方向と反対方向に移動しようとする。駆動力が余りに小さい場合には、ウェブはロール１００を連行しようとし、従って、ロールはウェブの走行方向に移動する。ロールが両端でしっかり保持されているので、このことは相応の撓みをもたらす。
【００６５】
駆動力の制御を達成するためには、支持凹部６０における圧力変化を活用することができる。中空ロール１が正確に位置決めされている場合にのみ、駆動力は必要な数値に一致する。中空ロール１の位置のずれが生じるや否や、支持手段３０（又はそれと反対側にある支持手段）に、圧力の増大が発生する。この圧力の増大を駆動力の相応の変化によって戻すことができる。
【００６６】
図１には、ロール１００の駆動力の影響の、他の可能性が、破線で示されている。すなわち、支持本体５０には、互いに反対側にある両側で、作用面Ｗに対し半径方向に垂直に向けられた誘導性の計器用変成器６１，６２が設けられている。これらの計器用変成器は支持本体５０の外側に取着されており、支持本体の動きを共にする。計器用変成器６１，６２から突出している各測定素子（Ｍｅｓｓｔａｓｔｅｒ）６３，６４は、外側のベースプレート３２の外側に接触している。中空ロール１が図１で右に移動するとき、測定素子６３，６４は更に繰り出される。これに従って、計器用変成器６１，６２から発信された信号は変化する。このことは、支持本体５０がベースプレート３２に接近するという場合にも当て嵌まる。誘導性の変成器６１，６２は、中空ロール１の内周面２と、作用面との、作用面Ｗに対し垂直方向における半径方向の間隔を測定する。変成器６１，６２の複数の信号は平均化される。３つ又は４つの計器用変成器又は１つのみの中央の計器用変成器があってもよい。計器用変成器の配列の、信号が、支持本体５０の位置にすなわち万一の傾斜位置に実質的に独立していることのみが、保証されていればよい。
【００６７】
計器用変成器６１，６２の信号は横方向でのクロスヘッド５に対する中空ロール１の位置を表わしている。この信号は、中空ロール１が正しい位置及び整列を保つように、駆動力に影響を及ぼすために、用いられる。この目的のために，複数の計器用変成器６１，６２の配列が相応に単独でも作用することができる。しかし乍ら、図示した実施の形態では、複数の計器用変成器６１，６２の複数の信号は、駆動力を最適に制御するために、支持凹部６０内での圧力の複数の信号と協働する。
【図面の簡単な説明】
【図１】図１は本発明に係わるロールの部分横断面図を示している。
【図２】図２は図１の線ＩＩーＩＩに沿った側方の支持エレメントの断面図を示している。
【図１】
0003593034.tif 000002
【図２】
0003593034.tif 000003